(57)【特許請求の範囲】
【請求項１】
検眼手段の測定光軸に沿ってアライメントマークを被検眼に投影する投影光源と、
前記測定光軸の周囲の外側と内側にそれぞれ配置した２個ずつの光源をペアとし、前記測定光軸の対角上に前記光源のペアを複数ペア配置した前眼部照明光源と、
前記アライメントマーク及び前記前眼部照明光源の被検眼での反射光束を受光手段に導く受光光学系と、
前記検眼ユニットを被検眼に対して少なくとも上下左右方向に移動させる移動手段と、
前記受光手段で撮像した画像を基に前記検眼ユニットを移動して、前記測定光軸と被検眼との位置合わせを行う制御手段とを有し、
該制御手段は、前記アライメントマークが前記受光手段の所定位置に受光されていない場合に、かつ前記全ての光源ペアによる全ての反射光束が前記画像に撮像されていない場合に、対角に位置する前記光源のペアを順次に点灯、消灯し、前記受光手段で撮像した画像上での前記光源のペアによる被検眼での反射光束の大きさを比較することにより、どの前記光源のペアが点灯しているかを識別し、該識別結果に基づいて、前記測定光軸と被検眼との位置合わせを行うことを特徴とする眼科装置。
【発明の詳細な説明】
【０００１】
【発明の属する技術分野】
本発明は、被検眼の特性値を測定する際に、被検眼と検眼手段との位置合わせを行う位置合わせ手段を有する眼科装置に関するものである。
【０００２】
【従来の技術】
従来、この種の眼科装置は被検眼にアライメントのための指標を角膜に投影し、その反射像の位置や像強度を検出することにより、被検眼と検眼装置との位置合わせを行い、予め設定された被検眼と検眼装置の位置関係となった後に、測定を開始している。
【０００３】
また、検眼装置と被検眼の位置関係を調節するために、投影指標像が位置検出器の検出範囲内に収まるまでは、検者の操作によって検眼装置の粗いアライメントを行い、一旦この投影指標像が位置検出器の検出範囲内に収まると、検眼装置が自動的にアライメントを微調整し、被検眼と検眼装置の位置関係を維持し測定を開始するものもある。
【０００４】
【発明が解決しようとする課題】
しかしながら上述の従来例においては、投影された指標像を位置検出器の検出範囲内に収まるまでは、検者の操作による粗いアライメントを必要とし、検眼装置の無人操作化や完全自動化をするのには問題がある。
【０００５】
また、被検眼の位置検出を広範囲で行うためには、特別に位置検出するための投影指標光学系や位置検出器の追加配置が必要となり、検眼装置の構造が複雑になり、またコストが高くなる。
【０００６】
更に、広範囲における被検眼の位置検出を被検眼の観察光学系と被検眼角膜に投影する指標像で行うとすると、被検眼の撮像倍率を大きくし、被検眼の撮像される範囲を広くする必要があり、検出精度、位置合わせ精度の低下を招く虞れがある。
【０００７】
本発明の目的は、上述の問題点を解消し、正確な位置合わせを迅速かつ容易に行い得る眼科装置を提供することにある。
【０００８】
【課題を解決するための手段】
上記目的を達成するための本発明に係る眼科装置は、検眼手段の測定光軸に沿ってアライメントマークを被検眼に投影する投影光源と、前記測定光軸の周囲の外側と内側にそれぞれ配置した２個ずつの光源をペアとし、前記測定光軸の対角上に前記光源のペアを複数ペア配置した前眼部照明光源と、前記アライメントマーク及び前記前眼部照明光源の被検眼での反射光束を受光手段に導く受光光学系と、前記検眼ユニットを被検眼に対して少なくとも上下左右方向に移動させる移動手段と、前記受光手段で撮像した画像を基に前記検眼ユニットを移動して、前記測定光軸と被検眼との位置合わせを行う制御手段とを有し、該制御手段は、前記アライメントマークが前記受光手段の所定位置に受光されていない場合に、かつ前記全ての光源ペアによる全ての反射光束が前記画像に撮像されていない場合に、対角に位置する前記光源のペアを順次に点灯、消灯し、前記受光手段で撮像した画像上での前記光源のペアによる被検眼での反射光束の大きさを比較することにより、どの前記光源のペアが点灯しているかを識別し、該識別結果に基づいて、前記測定光軸と被検眼との位置合わせを行うことを特徴とする。
【００１０】
【発明の実施の形態】
本発明を図示の実施例に基づいて詳細に説明する。
図１は第１の実施例における検眼装置の構成図を示しており、本体１には被検者が額を当接する額当て部材２、顎を載置する額受け台３が設けられている。また、本体１の前面には図２に示すような測定のための覗き窓４Ｒ、４Ｌが設けられており、内部を覗き込む際に被検者の鼻が装置に接触しないように、鼻を回避するための凹部状の陥没部１ａが設けられている。
【００１１】
本体１の覗き窓４Ｒ、４Ｌの内側には、後述する駆動機構によって被検者に対して、三次元的な位置合わせが可能な検眼ユニット５が設けられている。この検眼ユニット５の底面には、送りナットを有するジョイント部材６が設けられており、送りねじ棒７に螺合している。また、送りねじ棒７を支持する前後動用ステージ台８には前後方向駆動モータ９が固定されており、その出力軸９ａは送りねじ棒７の一端７ａと接手部材１０によって連結されている。
【００１２】
前後動用ステージ台８の下面には、送りナット部１１ａを有するジョイント部材１１が上下方向に固定され、送りねじ棒１２が螺合されている。上下動用ステージ台１３に固定されている上下方向駆動モータ１４の出力軸１４ａは、送りねじ棒１２の一端１２ａと接手部材１５によって連結されている。また、上下動用ステージ台１３とジョイント部材１１の間の間隙には、検眼ユニット５、前後動用ステージ台８、ジョイント部材１１等の重量による上下方向駆動モータ１４への負荷を軽減するための圧縮ばね１６が設けられている。更に、前後動用ステージ台８の下面にはガイド捧１７が垂設されており、上下動用ステージ台１３の一部に設けられたガイド溝部１３ａに嵌入し、上下方向駆動モータ１４の回転による検眼ユニット５や前後動用ステージ台８の回転を防止している。
【００１３】
上下動用ステージ台１３の下方には左右動用ステージ台１８が接続されており、左右動用ステージ台１８の下面にはガイド棒１９、２０を嵌入するための案内部１８ａ、１８ｂ及び送りねじ棒２１と螺合する送りナット部１８ｃが設けられている。ガイド棒１９、２０、送りねじ棒２１は被検眼Ｅの眼幅方向に平行とされ、基台２２の取付部２２ａに固定されており、送りねじ棒２１は図示しない左右方向駆動モータに連結されており、この左右方向駆動モータは基台２２の取付部２２ａに固定されている。即ち、前後方向駆動モータ９、上下方向駆動モータ１４、左右方向駆動モータの回転により、検眼ユニット５は被検眼Ｅに対して三次元的に駆動することができ、被検眼Ｅの位置合わせが可能とされている。
【００１４】
被検者が顎を載置する顎受け台３の下面には、顎受け支柱２３が設けられており、その内部には上下駆動用のねじ部２３ａが設けられており、ねじ棒２４と螺合されている。駆動モータ２５は基台２２に取付板２７を介して固定されており、ねじ棒２４の下端部２４ａと駆動モータ２５の出力軸２５ａは接手部材２６により連結されている。そして、駆動モータ２５の駆動力により、顎受け台３の高さを調整することができるようになっている。
【００１５】
また、本体１の後部には操作パネル部２８と、検眼ユニット５を上下左右に操作するためのトラックボール２９と、前後に操作するための滑り止めのためのローレットが形成された前後ローラ３０が設けられている。本体１にはモニタケース３１が設けられており、内部に液晶モニタ等の表示装置３２が格納されており、検者に被検眼Ｅの前眼部像や測定の結果、頂間距離、自動／手動等の測定条件等が表示されるようになっている。このモニタケース３１の側面には、本体１の図示しない穴部に嵌入する支点軸３１ａが形成されており、この支点軸３１ａを中心にモニタケース３１を矢印の方向に傾動させて、検者の見易い位置に固定することができるようになっている。
【００１６】
更に、本体１の下部には、電力を供給するための電源３３、プリンタ３４、各スイッチ、デバイスの信号を制御する制御手段３５が内蔵されている。
【００１７】
図３は操作パネル部２８の平面図を示しており、トラックボール２９、前後ローラ３０の他に、この操作パネル部２８には、測定を開始するためのスタートスイッチ２８ａ、測定結果をプリンタ３４に出力するプリントスイッチ２８ｂ、眼屈折力計の測定を自動測定又は手動測定の何れかを選択できる選択スイッチ２８ｃ、被検眼Ｅの測定結果を装用眼鏡と角膜の頂間距離をコンタクトレンズの処方をする場合は０ｍｍ、眼鏡を処方する場合は１２ｍｍ又は１３．５ｍｍを選択可能とする頂間距離選択スイッチ２８ｄ、顎受け台３を上下に駆動させるためのスイッチ２８ｅ、２８ｆが設けられており、スイッチ２８ｅを押すことによって顎受け台３が上昇し、スイッチ２８ｆを押すことによって顎受け台３が下降するようになっている。
【００１８】
トラックボール２９を検者が掌で転がすように操作することにより、トラックボール２９の前後、左右方向の回転量を図示しないセンサが検出し、トラックボール２９の回転量に応じて、検眼ユニット５を被検眼Ｅに対して上下、左右に移動させるように、制御手段３５が前述の上下方向駆動モータ１４、左右方向駆動モータを駆動し、検眼ユニット５を移動させる。また、前後ローラ３０の回転量を図示しないセンサにより検出し、その回転量に応じて前後方向駆動モータ９を駆動し、検眼ユニット５を被検眼Ｅに対して前後方向に移動させることができる。
【００１９】
図４は被検者が右眼Ｅで覗き窓４Ｒを覗き込んだ際の検眼ユニット５の光学系を示しており、覗き窓４Ｒの後方に検眼ユニット５が配置されている。この検眼ユニット５には、被検眼Ｅの眼屈折力を測定するための眼屈折光学系４０ｒ、被検眼Ｅの位置合わせのために被検眼Ｅに投影された指標像や被検眼Ｅの虹彩像を撮像する前眼部観察光学系４０ｔ、被検眼Ｅに提示する固視目標を投影する固視標光学系４０ｆが設けられており、これらの光学系の光軸は検眼ユニット５の測定光軸４０Ｌとして被検眼Ｅの直前で同一に結合されている。
【００２０】
被検眼Ｅの眼屈折光学系４０ｒ上には、覗き窓４Ｒに向けて、眼底指標光源４１、レンズ４２、投影絞り４３、孔あきミラー４４、光分割部材４５、対物レンズ４６、光分割部材４７、保護ガラス４８が順次に配置されている。また、保護ガラス４８の内側には、図５に示すように測定光軸４０Ｌを中心として、被検眼Ｅを照明するためのＬＥＤから成る前眼部照明光源４９ａ〜４９ｄが配置されている。
【００２１】
光分割部材４７の反射方向に位置する前眼部観察光学系４０ｔには、レンズ５０、ハーフミラー５０、レンズ５１の焦点に位置し前眼部照明光源４９と同じ波長を発するＬＥＤから成る投影光源５２が順次に配置されており、ハーフミラー５１により反射された光路上にはレンズ５２、撮像面５３ａを有する二次元撮像素子５３が配置されている。更に、光分割部材４５に入射する固視標光学系４０ｆ上には、光源５４、赤外線吸収フィルタ５５及び拡散板５６を積層した視標フィルム５７、移動レンズ５８、レンズ５９、ミラー６０が順次に配置されている。また、孔あきミラー４４の反射方向には、図６に示す絞り６１、図７に示すプリズム６２、結像レンズ６３、撮像面６４ａを有する二次元撮像素子６４が順次に配列されている。
【００２２】
図８は検眼装置の制御のためのブロック回路構成図を示しており、検眼装置の動作の制御を行う制御手段３５には、図示しないマイクロプロセッサやプログラムを格納しているＲＯＭ、周辺機器のインタフェイス等を有しており、眼底指標光源４１、光源５４、前眼部照明光源４９ａ〜４９ｄ、移動レンズ５８を駆動するための駆動モータ、前後方向駆動モータ９、上下方向駆動モータ１４、左右方向駆動モータ、プリンタ３４、駆動モータ２５、操作パネル２８が接続されている。また、眼屈折力測定用の二次元撮像素子６４及び被検眼Ｅの前眼部像を撮像する二次元撮像素子５３は、それぞれＡ／Ｄ変換器７１、７２、フレームメモリ７３、７４を介して制御手段３５に接続されている。
【００２３】
被検者が額を額当て部材２に当接させ、覗き窓４Ｒの中を覗いた際に、検者は側面から被検者の眼の位置がほぼ覗き窓４Ｒの中心線上にあるかどうかを確認した後に、被検者の額が安定するように顎受け台３をスイッチ２８ｅ、２８ｆにより操作して昇降させ、被検者の顎を顎受け台３上に載置する。
【００２４】
光源５４の点灯により、光束は赤外線吸収フィルタ５５及び拡散板５６を積層した視標フィルム５７を照明する。この視標フィルム５７には被検眼Ｅが固視する視標の絵柄が描かれており、視標フィルム５７から出射した光束は移動レンズ５８、レンズ５９を介して、ミラー６０及び光分割部材４５において反射され、対物レンズ４６、光分割部材４７、保護ガラス４８、覗き窓４Ｒを透過し、被検眼Ｅに固視目標を提示する。このとき、移動レンズ５８は被検者に提示する視標フィルム５７による固視目標を雲霧するように、図示しない駆動機構により光軸方向に前後に移動される。
【００２５】
検者は眼屈折力の測定を選択スイッチ２８ｃにより自動又は手動の何れかを選択する。検者が選択スイッチ２８ｃにより手動測定を選択した場合は、図９に示すように表示装置３２のモニタ画面３２ａ上に「Ｍａｎｕ．」と表示される。この表示を確認した後に、検者は前述したトラックボール２９、前後ローラ３０を操作し、モニタ画面３２ａ上のアライメントマークMa内に、投影光源５２から発光し被検眼Ｅの角膜Ecで反射された角膜反射輝点像Tcが入射するように、検眼ユニット５のアライメントを行う。
【００２６】
図１０は前眼部観察光学系４０ｔの二次元撮像素子５３の撮像面５３ａに投影された被検眼Ｅの前眼部像を示しており、被検者が額当て部材２に額を当接し顎受け台３に額を載置した状態において、被検眼Ｅの光軸が検眼ユニット５の測定光軸４０Ｌを中心として所定距離の範囲内にある場合には、撮像面５３ａ上で被検眼Ｅの角膜反射輝点像Tcが撮像されるため、制御手段３５はこの角膜反射輝点像Tcを撮像面５３ａの中心の許容範囲Ma' に収まるように上下方向駆動モータ１４、左右方向駆動モータを駆動し、検眼ユニット５の測定光軸４０Ｌと被検眼Ｅのアライメントを行う。
【００２７】
また、前眼部照明光源４９ａ〜４９ｄにより照明された前眼部像は、覗き窓４Ｒ、保護ガラス４８を透過した後に検眼ユニット５に入射し、光分割部材４７においてレンズ５０の方向に反射されてレンズ５０を透過し、ハ−フミラー５１において反射されレンズ５２で収斂された後に、二次元撮像素子５３の撮像面５３ａ上に角膜反射輝点像Tia 〜Tid として結像する。
【００２８】
被検眼Ｅの二次元撮像素子５３の撮像面５３ａ上での位置合わせが完了した後に、制御手段３５は検眼ユニット５を前後方向駆動モータ９により前後に駆動させ、ピント合わせを行う。ピント合わせ手段は検眼ユニット５の前後何れかの予め決められた方向に微小距離を移動させた後に、角膜反射輝点像Tcのぼけ具合を検出することによって行う。即ち、被検眼Ｅの二次元撮像素子５３の撮像面５３ａ上での位置合わせが完了した後に、検眼ユニット５を被検眼Ｅの方向に少し移動させて、移動させた前後の角膜反射輝点像Tcの像の大きさ或いは明るさを比較し、角膜反射輝点像Tcが小さくなるか又は明るくなるかどうかを判定することによりピント合わせをする。
【００２９】
角膜反射輝点像Tcの大きさが減少したり又は明るくなった場合には、検眼ユニット５を更に被検眼Ｅの方向に少し移動させる。角膜反射輝点像Tcの大きさが大きくなる又は暗くなった場合には反対の方向、即ち被検眼Ｅから遠去かる方向に少し移動させて、角膜反射輝点像Tcの大きさ又は明るさを再度比較する。この角膜反射輝点像Tcのぼけ具合が最小となる位置が、ピントが最適な状態である。
【００３０】
図１１に示すように角膜反射輝点像TcがアライメントマークMa内に入射していることを確認した後に、スタートスイッチ２８ａを押すと、後述する眼屈折力測定が開始される。その測定結果は図１１に示すように、モニタ画面３２ａ上に表示され、更に必要に応じては操作パネル部２８のプリントスイッチ２８ｂを押すことにより測定結果をプリンタ３４から出力することもできる。
【００３１】
眼底指標光源４１を点灯すると、この眼底眼底指標光源４１から出射された光束はレンズ４２、投影絞り４３、孔あきミラー４４の孔部４４ａ、光分割部材４５、対物レンズ４６、光分割部材４７、保護ガラス４８を介して眼底Erに投影される。眼底Erに投影された光束の反射像は瞳孔Epから出射し、保護ガラス４８、光分割部材４７、対物レンズ４６、光分割部材４５を介して、孔あきミラー４４の孔部４４ａの周囲において反射される。この反射された眼底指標光源像は、絞り６１の６個の開口部６１ａを透過し、プリズム６２により分割され、結像レンズ６３を介して図１２に示すように二次元撮像素子６４の撮像面６４ａに入射する。この眼底指標光源像は撮像面６４ａ上では６個の位置Ia〜Ifとして投影され、これらの位置Ia〜Ifの位置関係を解析することによって、被検眼Ｅの眼屈折力を算出することができる。
【００３２】
この一連の測定が終了した後に、制御手段３５は検眼ユニット５を左眼の覗き窓４Ｌに合わせ、右眼と同様に左眼の測定を行う。
【００３３】
また、検者が選択スイッチ２８ｃにより自動測定を選択した場合は、図１３に示すようにモニタ画面３２ａ上に「Ａｕｔｏ」と表示される。この表示を確認した後に、スタートスイッチ２８ａを押すことにより、自動的に被検眼Ｅのアライメント及び測定が開始される。
【００３４】
主にこの自動測定の際に、角膜反射輝点像Tcが識別できない場合を次に説明する。被検眼Ｅの光軸が検眼ユニット５の測定光軸４０Ｌを中心とする所定範囲から外れている場合には、角膜Ecによる角膜反射輝点像Tcの光束がレンズ５０で検出される範囲外に反射されてしまうため、撮像面５３ａ上において角膜反射輝点像Tcが撮像されない。このような場合に、角膜反射輝点像Tcの位置に上記のような位置合わせが不可能となる。
【００３５】
また、図１４に示すように被検者の瞼が垂れ下ることにより、角膜反射輝点像Tcが隠れた場合にも、制御手段３５は角膜反射輝点像Tcを検出できずアライメント調整ができない。このような場合には、角膜反射輝点像Tcの代りに前眼部照明光源４９ａ〜４９ｄから発光する光束により、被検眼Ｅの角膜反射像Tia 〜Tid をアライメント調整の基準とするように変更する。
【００３６】
しかし、例えば図１４の被検者の瞼が垂れ下がっているような場合には、前眼部照明光源のＬＥＤ４９ａ、４９ｂの角膜反射像Tia 、Tib は瞼に邪魔されて撮像されないので、撮像面５３ａに撮像されている指標光源の角膜反射像は、上方の前眼部照明光源４９ａ、４９ｂによる角膜反射像Tia 、Tib なのか、下方の前眼部照明のＬＥＤ４９ｃ、４９ｄによる角膜反射像Tic 、Tid であるのかを区別することができず、制御手段３５が検眼ユニット５を上方又は下方の何れかの方向に移動すべきなのか判断できなくなる虞れがある。
【００３７】
この場合に、制御手段３５は二次元撮像素子５３の撮像周期の１フレーム或いは１フィールド毎に、前眼部照明光源４９ａ〜４９ｄを順次に消灯するように制御することにより、撮像されている角膜反射像は前眼部照明光源４９ａ〜４９ｄのどの光源による角膜反射像であるかを検出する。
【００３８】
即ち、制御手段３５が前眼部照明光源４９ａを消灯したとき、二次元撮像素子５３に撮像された画像を解析した結果、２個の角膜反射像を検出し、前眼部照明光源４９ｂを消灯したとき２個の角膜反射像を検出し、前眼部照明光源４９ｃを消灯したとき１個の角膜反射像を点検出し、前眼部照明光源４９ｄを消灯したとき１個の角膜反射像を検出したとすると、図１４に撮像された角膜反射像は下方の前眼部照明光源４９ｃ、４９ｄの角膜反射像Tic 、Tid であると判断することができる。
【００３９】
この場合に、制御手段３５は下方の前眼部照明光源４９ｃ、４９ｄの角膜反射像が、撮像面５３ａのほぼ中心付近にあるにも拘らず、角膜反射輝点像Tcが検出できない理由を、瞼が下がっており測定不可能であると判断することができる。従って、制御手段３５はモニタ画面３２ａに瞼が下がっており測定不可能である旨を表示、警告することができる。
【００４０】
図１５は撮像面５３ａに投影された被検眼Ｅの前眼部像を示したものであるが、被検眼Ｅの光軸が撮像面５３ａの中心から離れている場合に、角膜反射輝点像Tcは被検眼Ｅの光軸上に撮像されない。そこで、制御手段３５は前眼部照明光源４９ａから順に１個ずつ、二次元撮像素子５３の撮像周期１フレームごとに消灯し、撮像されている角膜反射像が前眼部照明光源４９ａ〜４９ｄのどの光源によるかを検出し識別する。
【００４１】
例えば、制御手段３５が前眼部照明光源４９ａを消灯したとき、二次元撮像素子５３に撮像された画像を解析した結果、２個の角膜反射像を検出し前眼部照明光源４９ｂを消灯したとき１個の角膜反射像を検出し、前眼部照明光源４９ｃを消灯したとき１個の角膜反射像を検出し、前眼部照明光源４９ｄを消灯したとき２個の角膜反射像を検出したとすると、図１５において撮像された角膜反射像は前眼部照明光源４９ｂ、４９ｃによる角膜反射像Tib 、Tic であることが識別できる。
【００４２】
従って、検眼ユニット５は被検眼Ｅに向かって右方向にずれていることになるため、検眼ユニット５を被検眼Ｅに向かって左方向に移動すれば、角膜反射輝点像Tcが二次元撮像素子５３で撮像されるようになる。以下、前述の被検眼Ｅの光軸が検眼ユニット５の測定光軸４０Ｌを中心として所定距離の範囲内にある場合と同様に、被検眼Ｅと検眼ユニット５の測定光軸４０Ｌとの位置合わせを行う。
【００４３】
なお、前眼部の照明光源とは別に、被検眼Ｅの光軸外にアライメントのための複数個の指標光源を設置してもよい。この場合に、前眼部照明光源と指標光源が別々となり、指標光源の点灯、消灯により、前眼部の明るさや見え方の変化が小さいため、表示装置３２のモニタ画面上で見易くなるという利点が生ずる。
【００４４】
また、被検眼Ｅに投影する前眼部照明光源４９ａ〜４９ｄを４個としたが、この照明光源の数は６個、８個としてもよい。この場合には、照明光源の数を増加させることにより、より詳細な被検眼Ｅの検眼ユニット５に対する位置情報を得ることができるという利点が生ずる。
【００４５】
更に、実施例では被検眼Ｅに投影する照明光源４９ａ〜４９ｄのどの照明光源が撮像されているかを識別するために順次に消灯してゆく方法を開示したが、前眼部照明光源４９ａ〜４９ｄに供給する電流を逐次に増大させることによって、１個の前眼部照明光源を他の前眼部照明光源より明るくすることによって、それぞれの前眼部照明光源の明るさ又は大きさを比較することによって、撮像されている角膜反射指標像がどの前眼部照明光源のものであるかを識別するようにしてもよい。
【００４６】
図１６は第２の実施例を示しており、前眼部照明光源４９ａ〜４９ｄの内側に、更にもう１個ずつ前眼部照明光源４９ｅ〜４９ｈが配置されている。
【００４７】
前眼部を照明する際には、外側の前眼部照明光源４９ａ〜４９ｄを常時点灯しておき、前眼部照明光源を識別するときには、内側の前眼部照明光源４９ｅ〜４９ｈを順次に点灯、消灯するようにしても、同等の効果が得られる。この場合に、ペアになった外側と内側の前眼部照明光源、例えば前眼部照明光源４９ａ、４９ｅの点灯を検出するため、撮像されている角膜指標反射像の大きさを比較することにより、どのペアの前眼部照明光源が点灯しているのかを識別すればよい。
【００４８】
この前眼部照明光源による被検眼Ｅの位置検出をしなければならないのは、被検眼Ｅの光軸が検眼ユニット５の測定光軸４０Ｌから所定距離の範囲外の場合が多いので、４個の前眼部照明光源４９ｅ〜４９ｈを順次に消灯し、撮像面５３ａに撮像されている角膜指標反射像がどの前眼部照明光源の角膜反射像かを検出する代りに、対角に位置する前眼部照明光源４９ｅ〜４９ｈのペアを交互に消灯して識別をしてもよい。
【００４９】
この場合には、被検眼Ｅのずれを検出するために、前眼部照明光源４９ｅ〜４９ｈの点灯、消灯を２回すればよいため、識別に要する時間が２フレーム分しか掛からず、識別時間を短縮できるという利点がある。
【００５０】
【発明の効果】
以上説明したように本願発明に係る眼科装置は、受光手段で撮像された前眼部照明光源による反射像が、複数個の前眼部照明光源のうち、どの前眼部照明光源による反射像であるかを識別できるため、被検眼の受光光学系に対する位置関係を、広い範囲で検出することができる。
【００５３】
更に、検眼手段と被検眼との位置合わせのために検眼手段を被検眼に対して上下左右に移動可能とすることにより、従来例での位置検出器の狭い検出範囲内に指標像を入れるまでは検者の操作で粗いアライメントをする必要がなくなり、検眼装置の無人操作化や完全自動化ができる。
【図面の簡単な説明】
【図１】第１の実施例の検眼装置の構成面である。
【図２】接眼部の正面図である。
【図３】操作パネル部の平面図である。
【図４】検眼ユニットの構成図である。
【図５】前眼部照明光源の配置図である。
【図６】絞りの正面図である。
【図７】プリズムの正面図である。
【図８】検眼制御のためのブロック回路構成図である。
【図９】モニタ画面の説明図である。
【図１０】撮像面上の画像の説明図である。
【図１１】モニタ画面の説明図である。
【図１２】撮像面上の眼底指標像の説明図である。
【図１３】モニタ画面の説明図である。
【図１４】撮像面上の画像の説明図である。
【図１５】撮像面上の画像の説明図である。
【図１６】第２の実施例における前眼部照明光源の配置図である。
【符号の説明】
１  本体
５  検眼ユニット
２８  操作パネル部
２９  トラックボール
３０  前後ローラ
３２  表示装置
３５  制御手段
４１  眼底指標光源
４９ａ〜４９ｈ  前眼部照明光源
５２  投影光源
５３、６４  二次元撮像素子
【図１】
0004136096.tif 000002
【図２】
0004136096.tif 000003
【図３】
0004136096.tif 000004
【図４】
0004136096.tif 000005
【図５】
0004136096.tif 000006
【図６】
0004136096.tif 000007
【図７】
0004136096.tif 000008
【図８】
0004136096.tif 000009
【図９】
0004136096.tif 000010
【図１０】
0004136096.tif 000011
【図１１】
0004136096.tif 000012
【図１２】
0004136096.tif 000013
【図１３】
0004136096.tif 000014
【図１４】
0004136096.tif 000015
【図１５】
0004136096.tif 000016
【図１６】
0004136096.tif 000017